(57)【要約】  【課題】本発明の目的は防水性が長続きにする上、防水性材料の使用量を少なくにし、製造コストを低減する防水靴を提供しようとすることにある。  【解決手段】本発明は、上下両端を有し、且つ、少なくともその上端が開口しているアッパー１０と、上下両端を有し、且つ、少なくともその上端が開口しており、また、その全体がアッパー１０の内面に配置されている通気性の防水材料からなる防水ライナースリーブ４０と、つま先部と該つま先部から一体に延長してなった踵部とからなっている底壁及びこの底壁の周縁から上方へ突出して防水ライナースリーブ４０の下端に連結されている側壁を有する非通気性の防水材料からなるカップ手段３０と、を備えていることを特徴とする防水靴を提供する。【選択図】  図６
2004230889.tif 000002
【特許請求の範囲】
【請求項１】
上下両端を有し、且つ、少なくともその上端が開口しているアッパーと、
上下両端を有し、且つ、少なくともその上端が開口しており、また、その全体が前記アッパーの内面に配置されている通気性の防水材料からなる防水ライナースリーブと、
つま先部と該つま先部から一体に延長してなった踵部とからなっている底壁、及び該底壁の周縁から上方へ突出して前記防水ライナースリーブの下端に連結されている側壁を有する非通気性の防水材料からなるカップ手段と
を備えていることを特徴とする防水靴。
【請求項２】
前記カップ手段はモールド成形法によって成形された成形物であることを特徴とする請求項１に記載の防水靴。
【請求項３】
前記防水ライナースリーブの下端にも開口が形成されており、該防水ライナースリーブの下端開口縁が前記カップ手段の側壁の上端縁に水密に付着させられていることを特徴とする請求項１に記載の防水靴。
【請求項４】
前記防水ライナースリーブの下端開口縁が外側から前記カップ手段の側壁の上端縁に重なり、且つ、その重なった部分全体が防水性接着剤で粘着されていることを特徴とする請求項３に記載の防水靴。
【請求項５】
前記防水ライナースリーブの下端開口縁と前記カップ手段の側壁との継ぎ目全体が外から防水性シールテープで連続的に遮蔽されていることを特徴とする請求項４に記載の防水靴。
【請求項６】
前記カップ手段の側壁の上端縁が外側から前記防水ライナースリーブの下端開口縁に重なり、且つ、その重なった部分全体が防水性接着剤で粘着されていることを特徴とする請求項３に記載の防水靴。
【請求項７】
前記カップ手段の底壁に開口が開けてあり、当該開口がソール部材によって閉塞されていることを特徴とする請求項１に記載の防水靴。
【請求項８】
前記防水ライナースリーブの上端が前記アッパーの上端開口縁近くに連結されており、また、前記アッパーの下端が開口し、且つその開口縁が前記カップ手段の底壁の下方に釣り込まれていることを特徴とする請求項１に記載の防水靴。
【請求項９】
前記防水ライナースリーブの下端開口縁が外側から前記カップ手段の側壁の上端縁に重なり、且つ、前記カップ手段の側壁の上端縁が前記防水ライナースリーブの下端開口縁に縫い合わせられ、該防水ライナースリーブの下端開口縁と前記カップ体の側壁との継ぎ目全体が外側から防水性シールテープで連続的に遮蔽されていることを特徴とする請求項３に記載の防水靴。
【請求項１０】
前記アッパーの下端が開口し、且つ、当該下端開口の周縁が外側へ折り返されていることを特徴とする請求項１に記載の防水靴。
【請求項１１】
前記防水ライナースリーブの内面にライニングが裏打ちされていることを特徴とする請求項１〜１０のいずれかに記載の防水靴。
【請求項１２】
前記ライニングが底壁を有し、且つ、前記カップ手段の底壁が前記ライニングの底壁に下から粘着されていることを特徴とする請求項１１に記載の防水靴。
【発明の詳細な説明】
【技術分野】
【０００１】
本発明は、防水靴に関し、より詳しくは、アッパーに防水ライナースリーブが裏打ちされた防水靴に関する。
【背景技術】
【０００２】
従来の防水靴の一例としては、図１に示すように、上下２開口端を有するアッパー１と、上下２開口端を有するライナー２と、上下２開口端を有する通気性の防水材料からなるライニング３と、インソール４と、前記アッパー１の下端に装着されているアウトソール５とを備えている。ライニング３はライナー２に一体的に粘着されてから、その上開口縁がライナー２の上開口縁とともにアッパーの上開口縁近くに縫い合わせられている。このようなの構成では、防水靴の防水効果を向上させることができるが、ライニング３をライナー２に粘着するのに大量の接着剤を使用する必要があるため、防水靴の通気性を低下させてしまうという欠点がある。
【０００３】
また、特許文献１に開示されているステッチダウン方式製靴においては、図２に示すような透気性の防水材で造られたソックス状ライニング６がある。このようなソックス形のライニング６はソックスのカヴーに倣ってなり、上開口端と下閉鎖端とを有している。そして、その上開口端がアッパーの上開口端近くに連結され、その下閉鎖端がインソールの下方に延在している。しかしながら、インソールは釣り込みによってアッパーに連結されるので、この釣り込みにおいて、インソールの下方に延在しているライニング６の下閉鎖端がインソールにかかる外力で破壊されるおそれがある。また、ライニング６の下閉鎖端の外表面にテープが粘着され、保護が与えられるが、製造コストもそれに従って増加する。なお、ライニング６には使用者の足による高圧力や機械的な圧迫を受け、長期間の使用にわたって通気性の防水性材料が壊れてその防水性を失うようになるという不都合がある。
【０００４】
また、特許文献２の防水靴においては、アッパーの内面及びライナーの外面に連結されている通気性の防水ライニングが開示されている。しかしながら、この防水ライニングが機能層を有し、その下縁部がアッパーの底壁と平行するように、当該アッパーの底壁に折り返されているので、構成がかなり複雑になる上、防水ライニングの製造に用いられる防水性材料の量が多くなり、製造コストを増加するという欠点がある。
【特許文献１】米国特許第４５９９８１０号明細書
【特許文献２】米国特許第５９１８３８２号明細書
【発明の開示】
【発明が解決しようとする課題】
【０００５】
上記に鑑みて、本発明の目的は防水性が長続きにする上、防水性材料の使用量を少なくにし、製造コストを低減する防水靴を提供しようとすることにある。
【課題を解決するための手段】
【０００６】
前記目的を達成するために、本発明は、上下両端を有し、且つ、少なくともその上端が開口しているアッパーと、上下両端を有し、且つ、少なくともその上端が開口しており、また、その全体が前記アッパーの内面に配置されている通気性の防水材料からなる防水ライナースリーブと、つま先部と該つま先部から一体に延長してなった踵部とからなっている底壁及び該底壁の周縁から上方へ突出して前記防水ライナースリーブの下端に連結されている側壁を有する非通気性の防水材料からなるカップ手段とを備えていることを特徴とする防水靴を提供する。
【発明の効果】
【０００７】
上記構成によると、本発明の防水靴は、防水ライナースリーブの下端にカップ手段が連結されているので、防水ライナースリーブがアッパーの下端上に延伸することなく、使用者の足による高圧力や機械的な圧迫または釣り込みにおいてアッパーにかかる外力で防水ライナースリーブを破壊するおそれを減少することができ、防水性を長続きにすることができる。また、防水ライナースリーブがアッパーの下端上に延伸することがないので、防水ライナースリーブの製造に用いられる防水材料の量を減少し、製造コストを低減することができる。
【発明を実施するための最良の形態】
【０００８】
以下、図面を参照しながら、本発明の防水靴の好ましい実施形態を説明する。先ず、図３乃至図６に示すのは、本発明の第１の実施形態である。本実施形態における防水靴は、図示のように、アッパー１０と、ライニング２０と、カップ手段３０と、防水ライナースリーブ４０と、防水性シール手段５０と、アウトソール６０と、充填材７０とを備えている。
【０００９】
図３に示すように、アッパー１０は、皮革又は織物から構成され、上下両端を有し、且つ、その上下両端が開口している。ライニング２０は、上下両端を有し、その上端が開口しており、下端が底壁を有するソックス状の構成である。そして、図６に示すように、このライニング２０の上開口縁が防水ライナースリーブ４０の内面に裏打ちされているように、アッパー１０の上開口縁近くに縫い合せられている。
【００１０】
カップ手段３０は、非通気性の防水材料からなっている。その非通気性の防水材料は、エチルビニルアセテート共重体と、ポリウレタンと、ポリエチレンと、ポリ塩化ビニルと、発泡性ポリエチレンと、ネオンプレンゴムとの中から選ばれたものである。図４に示すように、カップ手段３０は、底壁３１と、この底壁３１の周縁から上方へ突出して防水ライナースリーブ４０の下端に連結されている側壁３２とを有する。底壁３１はライニング２０の底壁に下から粘着され（図６参照）、つま先部３４とこのつま先部から一体に延長してなった踵部３５とからなっている。本実施形態において、カップ手段３０はモールド成形法によって成形された立体的な成形物である。
【００１１】
図５及び図６に示すように、防水ライナースリーブ４０は、上下両端４１，４２を有し、且つ、その上下両端が開口しており、また、その全体がアッパー１０の内面に配置されている通気性の防水材料からなっている。この通気性の防水材料としては通気性の防水薄膜を有するものを使用することができるが、本実施形態においては、ゴアテックス（登録商標）のような熱可塑性膜を有するものを使用することができる。この防水ライナースリーブ４０の下端開口縁４２がカップ手段の側壁３２の上端縁３３に水密に付着させられている。また、防水ライナースリーブ４０の上端開口縁がアッパーの上端開口縁近く及びライニング２０の上端開口縁近くに連結されている。そして、防水ライナースリーブ４０の下端開口縁４２が外側からカップ手段３０の側壁３２の上端縁３３に重なり、且つ、その重なった部分全体が防水性接着剤で粘着されている。本実施形態における防水性シール手段５０としては、防水性シールテープが使用され、この防水性シールテープで防水ライナースリーブ４０の下端開口縁４２とカップ手段３０の側壁３２との継ぎ目全体が外から連続的に遮蔽されている。
【００１２】
さらに、アッパー１０の下端開口縁がカップ手段３０の底壁３１の下方に釣り込まれている。また、充填材７０がアッパー１０の下開口に敷かれている。そして、アウトソール６０がアッパー１０の下端開口縁近くに据え付けられている。
【００１３】
このように、本実施形態において、防水ライナースリーブ４０の下端４２にカップ手段３０が連結されているので、防水ライナースリーブ４０がアッパー１０の下端上に延伸することなく、使用者の足による高圧力や機械的な圧迫または釣り込みにおいてアッパー１０にかかる外力で防水ライナースリーブ４０を破壊するおそれを減少することができ、防水性を長続きにすることができる。また、防水ライナースリーブ４０がアッパー１０の下端上に延伸することがないので、防水ライナースリーブ４０の製造に用いられる防水材料の量を減少し、製造コストを低減することができる。
【００１４】
そして、防水ライナースリーブ４０はアッパー１０の上開口端近くに連結されている上端４１及びカップ手段３０に連結されている下端４２を除く他の部分が前記アッパー１０とライニング２０との間で遊び状態になっているので、防水ライナースリーブ４０が防水性ともに良好な通気性を果たすことができる。
【００１５】
次に、図７に示すのは本発明の第２の実施形態である。本実施形態において、カップ手段３０の側壁３２の上端縁３３がジグザグ縫いにより防水ライナースリーブ４０の下端開口縁４２に縫い合わせられている。そして、この防水ライナースリーブ４０の下端開口縁４２とカップ手段３０の側壁との継ぎ目全体が、防水性シールテープ５１で連続的に遮蔽されていることにある。
【００１６】
また、図８に示すのは本発明の第３の実施形態である。本実施形態において、前記第１の実施形態と異なる点は、アッパー１０ａの下端開口の周縁が外側へ折り返され、アウトソール６１に縫い合わせられていることにある。
【００１７】
また、図９に示すのは本発明の第４の実施形態である。本実施形態において、前記第１の実施形態と異なる点は、カップ手段３０の内面が防水ライナースリーブ４０の下端開口縁４２の外面に重なり、且つ、その重なった部分全体が防水性接着剤で粘着されていることにある。
【００１８】
また、図１０に示すのは本発明の第５の実施形態である。本実施形態において、前記第４の実施形態と異なる点は、カップ手段３０ｂの底壁３１ｂに開口３１１が形成されており、この開口３１１が第１のソール部材８０によって閉塞されている。また、アッパー１０とこの第１のソール部材８０との間に第２のソール部材９０が配置されていることにある。
【００１９】
また、図１１に示すのは本発明の第６の実施形態である。本実施形態において、前記第５の実施形態と異なる点は、ライニング２０ｃの下端が開口しており、この開口にインソール２２が、ソール部材８０ｃによって閉鎖されたカップ手段３０の開口３１１を上から塞ぐように配置されていることにある。
【００２０】
また、図１２に示すのは本発明の第７の実施形態である。本実施形態において、前記第６の実施形態と異なる点は、カップ手段３０の側壁３２の上端縁３３が外側から防水ライナースリーブ４０の下端開口縁４２に重なり、且つ、その重なった部分全体が防水性接着剤で粘着されていることにある。また、ライニング２０ｄの下端が開口し、ライニング２０ｄの下開口及び防水ライナースリーブの下開口がインソール２２ｄに閉塞されていることにある。
【００２１】
上述したように、本発明の防水靴は、前記防水ライナースリーブの下端に前記カップ手段が連結されているので、前記防水ライナースリーブが前記アッパーの下端上に延伸することなく、使用者の足による高圧力や機械的な圧迫または釣り込みにおいてアッパーにかかる外力で前記防水ライナースリーブを破壊するおそれを減少することができ、防水性を長続きにすることができる。また、前記防水ライナースリーブが前記アッパーの下端上に延伸することがないので、防水ライナースリーブの製造に用いられる防水材料の量を減少し、製造コストを低減することができる。
【００２２】
上記のように、本発明は、防水性が長続きにする上、防水性材料の使用量を少なくにし、製造コストを低減する防水靴を提供することができる。
【図面の簡単な説明】
【００２３】
【図１】従来の防水靴を示す断面図である。
【図２】米国特許第４５９９８１０号明細書に開示された靴におけるソックス状ライニングを示す斜視図である。
【図３】本発明の第１の実施形態における防水靴を示す斜視図である。
【図４】前記第１の実施形態におけるカップ手段を示す斜視図である。
【図５】前記第１の実施形態におけるカップ手段が防水ライナースリーブの下端に連結されている状態を示す斜視図である。
【図６】前記第１の実施形態における防水靴を示す断面図である。
【図７】本発明の第２の実施形態における防水靴を示す断面図である。
【図８】本発明の第３の実施形態における防水靴を示す断面図である。
【図９】本発明の第４の実施形態における防水靴を示す断面図である。
【図１０】本発明の第５の実施形態における防水靴を示す断面図である。
【図１１】本発明の第６の実施形態における防水靴を示す断面図である。
【図１２】本発明の第７の実施形態における防水靴を示す断面図である。
【符号の説明】
【００２４】
１      アッパー
２      ライナー
３      ライニング
４      インソール
５      アウトソール
６      ソックス状ライニング
１０        アッパー
１０ａ  アッパー
２０        ライニング
２０ｃ  ライニング
２０ｄ  ライニング
２２        インソール
２２ｄ  インソール
３０    カップ手段
３０ｂ  カップ手段
３１    底壁
３１ｂ  底壁
３１１  開口
３２    側壁
３３    上端縁
３４    つま先部
３５    踵部
４０    防水ライナースリーブ
４１    上端
４２    下端
５０        防水性シール手段
５１        防水性シール手段
６０        アウトソール
６１        アウトソール
７０        充填材
８０        第１のソール部材
８０ｃ  ソール部材
９０        第２のソール部材
【図１】
2004230889.tif 000003
【図２】
2004230889.tif 000004
【図３】
2004230889.tif 000005
【図４】
2004230889.tif 000006
【図５】
2004230889.tif 000007
【図６】
2004230889.tif 000008
【図７】
2004230889.tif 000009
【図８】
2004230889.tif 000010
【図９】
2004230889.tif 000011
【図１０】
2004230889.tif 000012
【図１１】
2004230889.tif 000013
【図１２】
2004230889.tif 000014